(57)【特許請求の範囲】
【請求項１】
先端に芯供給パイプを挿入固定したパイプホルダーを芯タンクの先端に連結し、該パイプホルダーの外周にメカストッパーを嵌合し、上記パイプホルダーに設けたフランジとメカストッパーの間にノックばねを装着し、該メカストッパーに形成した長溝にパイプホルダーに設けた案内突起を係合し、上記パイプホルダーに芯の前進は許容するが後退は阻止するよう芯を保持する芯チャック部を連結し、該芯チャック部をテーパー部材の連結筒に挿入すると共に上記メカストッパーを該連結筒に連結し、該テーパー部材の先端に軸方向に移動可能なスライダーを設け、該スライダーを前方に付勢すると共に上記芯チャック部を後方に付勢するようスライダーと芯チャック部間にスライダーばねを設け、上記連結筒の外周に軸筒を挿入し、該軸筒の内面に形成した内方段部に上記芯タンクに形成した外方段部を当接させた自動式シャープペンシル。
【請求項２】
上記芯チャック部は後端に係止突起を有しかつ拡開可能に形成され、上記パイプホルダ
ーには該係止突起が係合可能な係止溝が形成されている請求項１に記載の自動式シャープ
ペンシル。
【請求項３】
先端に芯供給パイプを挿入固定したパイプホルダーを芯タンクの先端に連結し該パイプホルダーの外周にメカストッパーを嵌合し、該パイプホルダーに形成したフランジとメカストッパーの間にノックばねを装着し、該メカストッパーに形成した長溝にパイプホルダーに設けた案内突起を係合させて芯タンクとメカストッパーを相対的に軸方向に移動可能に連結した一次ユニット体を形成し、次に該一次ユニット体のパイプホルダーに芯の前進は許容するが後退は阻止するよう芯を保持する芯チャック部を連結して二次ユニット体を形成し、さらに軸方向に移動可能なスライダーと該スライダーを前方に付勢すると共に上記芯チャック部を後方に付勢するスライダーばねを先端に有し後部に軸方向に延びる連結筒を有するテーパー部材を上記二次ユニット体の芯チャック部の外周に挿入し上記メカストッパーに連結して三次ユニット体を構成し、該三次ユニット体のテーパー部材の連結筒を軸筒に挿入して連結し、芯タンクに形成した外方段部を軸筒の内面に形成した内方段部に当接させたことを特徴とする自動式シャープペンシルの組立方法。
【発明の詳細な説明】
【技術分野】
【０００１】
本発明は、筆記先端を紙面から離したとき芯が自動的に繰り出されるようにした自動式シャープペンシル及びその組立方法に関する。
【背景技術】
【０００２】
筆記先端を紙面から離したとき芯が自動的に繰り出されるようにしたいわゆる自動式シャープペンシルが知られている（例えば、特許文献１参照）。しかし、従来の自動式シャープペンシルは、部品点数が多く、構造が複雑で組み立ても面倒だった。
【特許文献１】特開昭６２−１８２９６号公報（第１図）
【発明の開示】
【発明が解決しようとする課題】
【０００３】
本発明の解決課題は、従来の自動式シャープペンシルに比べて構成が簡単でかつ組み立ても容易であり、経済的に得られるようにした自動式シャープペンシル及びその組立方法を提供することである。
【課題を解決するための手段】
【０００４】
本発明によれば、一次ユニット体と二次ユニット体と三次ユニット体を順次組み立て、この三次ユニット体を軸筒に取り付けることにより簡単に組み立てできる自動式シャープペンシルが提供される。上記一次ユニット体は、芯タンクの先端にパイプホルダーを連結し、該パイプホルダーの外周にノックばねとメカストッパーを嵌合し、該メカストッパーに形成した長溝に上記パイプホルダーに設けた案内突起を軸方向に移動可能に係合させている。上記二次ユニット体は、上記一次ユニット体の先端に、芯の前進は許容するが後退は阻止するよう芯を保持する芯チャック部を連結してある。上記三次ユニット体は、先端に軸方向に移動可能なスライダーを有するテーパー部材を上記二次ユニット体の芯チャック部の外周に挿入して上記メカストッパーに連結している。
【発明の効果】
【０００５】
本発明は上記のように構成され、一次ユニット体、二次ユニット体及び三次ユニット体を順次組み立て、最後に軸筒に三次ユニット体を連結することにより組み立てが完了するようにしたので、構成が簡単で組み立て作業が容易であり、組立時間を短縮して、時間的なコストを削減することができる。
【発明を実施するための最良の形態】
【０００６】
図１は本発明の一実施例を示し、軸筒（１）の先端にはテーパー部材（２）が接続されている。該テーパー部材（２）は、図１、図２に示すように、先端に軸方向に移動可能でスライダーばね（３）により前方に付勢されているスライダー（４）を有する。該テーパー部材（２）は、後方に軸方向に延びる連結筒（５）を有し、該連結筒（５）に上記軸筒（１）を嵌挿し、ねじ部（６）にねじ着するようにしてあるが、凹凸嵌合その他適宜の公知の接続構造に構成することができる。該テーパー部材（２）の後端には、後方に開口し係合縁（７）を有する係合孔（８）が形成され、内部には段部（９）が設けられている。
【０００７】
上記スライダー（４）は、公知のように摩擦的に芯を保持するブレーカーゴム、弾性的挟持片等の保持部（１０）を有し、筆記の際に紙面に当って後退し、筆記先端を紙面から離したとき上記スライダーばね（３）の作用で前進する。
【０００８】
上記スライダー（４）の後方には、芯の前進は許容するが後退は阻止するように芯を保持する芯チャック部（１１）が設けられている。図１に示す実施例では、ボールチャックが用いられており、図３に示すように筒状のメカ部本体（１２）の先端に前方に拡がるリング（１３）を設け、該メカ部本体（１２）内に、複数の、通常は２つのチャック要素（１４）、（１４）を挿入し、該チャック要素（１４）、（１４）とリング（１３）の間にボール（１５）を設けてある。該チャック要素（１４）、（１４）の後端とメカ部本体（１２）の内面には抜け止め突起（１６）、（１７）を設けてあり、該突起（１６）、（１７）を係合させることによりチャック要素（１４）、（１４）が脱落しないようにしてある。
【０００９】
上記芯チャック部（１１）のメカ部本体（１２）は後端が拡開可能となるようにスリット（１８）を設けてあり、内面には連結用の係止突起（１９）が設けられている。該芯チャック部（１１）は、軸方向に移動可能に設けられ、上記スライダーばね（３）により後方に付勢されている。後記するようにノック操作した際に、上記リング（１３）の先端がテーパー部材（２）の段部（９）に当接する位置まで上記メカ部本体（１２）は前進するが、上記チャック要素（１４）、（１４）はさらに前進可能である。
【００１０】
上記芯チャック部（１１）の後方には、軸方向に移動可能に芯タンク部（２０）が設けられている。該芯タンク部（２０）は、芯タンク（２１）、パイプホルダー（２２）、メカストッパー（２３）及びノックばね（２４）を具備している。該芯タンク（２１）は、後部に消ゴム（２５）、ノックキャップ（２６）等を取り付けることができ、図４に示すように先部には外方段部（２７）を介して径大部（２８）が形成され、該径大部に接続用の係止孔（２９）を設けてあり、該外方段部（２７）が軸筒（１）の内面に形成した内方段部（３０）に係合している。
【００１１】
上記パイプホルダー（２２）は、小径の先筒部（３１）の先端に芯供給パイプ（３２）を挿入連結してあり、図５に示すように該先筒部（３１）の後方に中間部（３３）を介してフランジ（３４）を設け、該フランジ（３４）の後方に、上記芯タンク（２１）の係止孔（２９）に係合する係止突起（３５）が設けられている。なお、上記先筒部（３１）の外周には、上記芯チャック部（１１）のメカ部本体（１２）に設けた係止突起（１９）が離脱可能に係合する係止溝（３６）と、上記メカストッパー（２３）に係合される案内突起（３７）が設けられている。
【００１２】
上記メカストッパー（２３）は、図６に示すように軸方向に延びる長溝（３８）を有し、かつ上記テーパー部材（２）の係合孔（８）に挿入して係合縁（７）に係止される形状の連結突起（３９）が設けられている。上記長溝（３８）には、上記パイプホルダー（２２）の案内突起（３７）が嵌合し、該長溝に沿って案内突起（３７）が移動可能である。
【００１３】
上記ノックばね（２４）は、上記メカストッパー（２３）の後方に形成した接続部（４
０）と上記パイプホルダー（２２）の中間部（３３）に設けたフランジ（３４）間に装着され、上記メカストッパーと芯タンクを相対的に軸方向にできるよう芯タンク（２１）を後方にかつメカストッパー（２３）を前方に付勢している。
【００１４】
上記各部材を組み立てるには、先ず上記パイプホルダー（２２）を芯タンク（２１）の先端に接続し、ノックばね（２４）を装着した後、上記メカストッパー（２３）をパイプホルダー（２２）の先筒部（３１）に挿入し、案内突起（３７）を長溝（３８）に係合させ、芯タンク（２１）とメカストッパー（２３）を相対的に軸方向に移動可能に連結した一次ユニット体（４１）を組み立てる（図７）。
【００１５】
次に、上記一次ユニット体（４１）のパイプホルダー（２２）の先筒部（３１）に上記芯チャック部（１１）のメカ部本体（１２）を挿入し、係止突起（１９）を係止溝（３６）に係合し、二次ユニット（４２）を組み立てる（図８）。
【００１６】
さらに、スライダー（４）とスライダーばね（３）を取り付けたテーパー部材（２）を上記芯チャック部（１１）の外周に嵌挿し、メカストッパー（２３）の連結突起（３９）をテーパー部材（２）の係合孔（８）に係合し、三次ユニット（４３）を組み立てる（図９）。その後該三次ユニット（４３）の連結筒（５）を軸筒（１）に嵌挿し、内方段部（３０）に芯タンク（２１）の外方段部（２７）を当接した状態で軸筒（１）を上記連結筒（５）に接続すればよい。
【００１７】
上記の構成により、筆記の際の筆圧はメカストッパー（２３）で受支され、筆記に伴って上記スライダー（４）は後退し、筆記先端を紙面から離すと、スライダーばね（３）の作用で該スライダー（４）は前進する。該スライダー（４）は、保持部（１０）で芯を摩擦的に保持しているから、芯を握持している芯チャック部（１１）のチャック要素（１４）、（１４）も芯を握持した状態で前進し、ボール（１５）がリング（１３）の径大部に移行したとき芯の握持を解放し、芯を繰り出すことができる。その後、上記チャック要素（１４）、（１４）は上記スライダーばね（３）の作用で後退し、ボール（１５）がリング（１３）の径小部に移行したとき芯を握持し、筆記できるようにする。
【００１８】
上記芯タンク部（２０）をノックすると、パイプホルダー（２２）に連結された上記
芯チャック部（１１）は、上記リング（１３）がテーパー部材（２）の段部（９）に当る
位置まで前進し、芯を繰り出すことができる。上記芯チャック部（１１）のメカ部本体（
１２）の移動が停止しても該メカ部本体（１２）の後端は拡開可能であるので、後端部に
設けた係止突起（１９）はパイプホルダー（２２）の係止溝（３６）から外れてパイプホ
ルダーの先筒部（３１）の外面を摺動すると共に上記チャック要素（１４）の内段部に芯
供給パイプ（３３）の先端が当接することによりチャック要素（１４）、（１４）は前進
し、芯の握持を解放する。芯タンク部（２０）のノックを止めると、該芯タンク（２１）
はノックばね（２４）により後退し、その途中で上記チャック要素（１４）、（１４）は
芯を握持すると共に上記メカ部本体（１２）の係止突起（１９）は上記パイプホルダー（
２２）の係止溝（３６）に係合し、芯チャック部（１１）は筆記可能な状態に戻る。
【図面の簡単な説明】
【００１９】
【図１】本発明の一実施例を示し、一部を省略した半断面図。
【図２】テーパー部材を示し、（Ａ）は正面図、（Ｂ）は側面からみた半断面図。
【図３】芯チャック部のメカ部本体等を示す半断面図。
【図４】芯タンクを示し、（Ａ）は正面図、（Ｂ）は側面からみた半断面図。
【図５】パイプホルダーを示し、（Ａ）は正面図、（Ｂ）は側面からみた半断面図
【図６】メカストッパーを示し、（Ａ）は正面図、（Ｂ）は側面からみた半断面図
【図７】一次ユニット体の正面図。
【図８】芯チャック部を断面して示す二次ユニット体の正面図。
【図９】二次ユニット体の側面図。
【符号の説明】
【００２０】
１    軸筒
２    テーパー部材
３    スライダーばね
４    スライダー
５    連結筒
１１    芯チャック部
１２    メカ部本体
２０    芯タンク部
２１    芯タンク
２２    パイプホルダー
２３    メカストッパー
２４    ノックばね
４１    一次ユニット体
４２    二次ユニット体
４３    三次ユニット体
【図１】
0004705428.tif 000002
【図２】
0004705428.tif 000003
【図３】
0004705428.tif 000004
【図４】
0004705428.tif 000005
【図５】
0004705428.tif 000006
【図６】
0004705428.tif 000007
【図７】
0004705428.tif 000008
【図８】
0004705428.tif 000009
【図９】
0004705428.tif 000010